(57)【要約】【課題】本発明においては、カセットコンロのガスボンベの過熱を抑制することができるカセットコンロ用の遮熱板を提供することを目的とする。【解決手段】遮熱板本体部と、該遮熱板本体部の裏面に取付けられた放熱空間形成部材とを備えたカセットコンロ用遮熱板であって、前記遮熱板本体部は、珪酸カルシウムで形成された基材と、該基材の表面部に形成された石英ガラス層を備え、該石英ガラス層で熱源からの輻射熱を反射可能に形成され、前記放熱空間形成部材は、前記遮熱板本体部のカセットコンロへの取付角度を設定する角度設定部材を有し、該角度設定部材は、前記石英ガラス層で反射された輻射熱の反射方向が外側上方に制御されるように形成され、前記放熱空間形成部は、前記遮熱板本体部の発生熱を放熱する放熱空間を形成して構成されていることを特徴とする。【選択図】図１
2019060501.tif 000002
【特許請求の範囲】
【請求項１】
遮熱板本体部と、該遮熱板本体部の裏面に取付けられた放熱空間形成部材とを備えたカセットコンロ用遮熱板であって、
前記遮熱板本体部は、珪酸カルシウムで形成された基材と、該基材の表面部に形成された石英ガラス層を備え、該石英ガラス層で熱源からの輻射熱を反射可能に形成され、
前記放熱空間形成部材は、前記遮熱板本体部のカセットコンロへの取付角度を設定する角度設定部材を有し、該角度設定部材は、前記石英ガラス層で反射された輻射熱の反射方向が外側上方に制御されるように形成され、
前記放熱空間形成部は、前記遮熱板本体部の発生熱を放熱する放熱空間を形成して構成されている
ことを特徴とするカセットコンロ用遮熱板。
【請求項２】
コンロ本体と、バーナー部と、五徳と、ガスボンベ収納部を有するカセットコンロにガスボンベを収納して使用するときの温度上昇を抑制するカセットコンロ用遮熱板であって、
前記遮熱板本体部は、珪酸カルシウムで形成された基材と、該基材の表面部に形成された石英ガラス層を備え、該石英ガラス層で熱源からの輻射熱を反射可能に形成され、前記ガスボンベ収納部を完全に覆設する大きさに形成され、
前記遮熱板本体部は、互いに略平行に形成された前辺部及び後辺部と、互いに略平行に形成された左辺部及び右辺部と、前辺部の左右端に形成された切欠部とを有し、
前記放熱空間形成部材は、前記遮熱板本体部のカセットコンロへの取付角度を設定する角度設定部材を有し、該角度設定部材は、前記石英ガラス層で反射された輻射熱の反射方向が外側上方に制御されるように形成され、
前記放熱空間形成部は、前記遮熱板本体部の発生熱を放熱する放熱空間を形成して構成されている
ことを特徴とするカセットコンロ用遮熱板。
【請求項３】
前記放熱空間形成部は、前記遮熱板本体部の裏面と、前記カセットコンロのガスボンベ収納部の表面とを離隔して、前記遮熱板本体部又は前記ガスボンベ収納部に発生した熱を放熱させる放熱空間を形成し、
前記放熱空間形成部材は、平面視略長円形状の固定片部と、該固定片部に一体的に形成された前記角度設定部材と、前記固定片部を前記遮熱板本体部に固着する固着手段を備え、
前記カセットコンロにセットした状態で、前記切欠部が前記五徳に当接し、前記前辺部の一部が前記カセットコンロの上面部に線接触で当接し、前記角度設定部材の先端部が前記ガスボンベ収納部の上面に点接触で当接する構成に形成されている
ことを特徴とする請求項２に記載のカセットコンロ用遮熱板。
【請求項４】
請求項１乃至請求項３のいずれか１項に記載のカセットコンロ用遮熱板を備えたことを特徴とするカセットコンロ。
【発明の詳細な説明】
【技術分野】
【０００１】
本発明は、カセットコンロ使用時にバーナー部の燃焼炎や、この燃焼炎で加熱された調理器具等からの輻射熱により、カセットコンロに収納されている着脱式ガスボンベの温度が過剰に上昇することを抑制することができるカセットコンロ用遮熱板に関するものである。
【背景技術】
【０００２】
従来から、業務用又は家庭用の据え置き型のガスコンロに対して、屋外での調理が簡単にできたり、屋内での卓上コンロとしても使用できる携帯型のカセットコンロが広く知られている。携帯型のカセットコンロ（以下、特に断らない限り、単に「カセットコンロ」という。）は、一般的に、カセットコンロ本体部とガスボンベ収納部とを備え、カセットコンロ本体部の略中央部にはバーナー部が設けられ、バーナー部の周囲には、五徳が装着されており、カセットコンロ使用時は、カセットコンロ本体に着脱自在のガスボンベを装着し、五徳に鍋、鉄板、網等の調理器具を載置して、バーナーによりガスを燃焼させて使用する構成にされており、原理的には、バーナー部燃焼炎からの輻射熱や、熱せられた調理器具からの輻射熱や、バーナー部の燃焼炎を熱源とする伝導熱により、直接的に又はカセットコンロの本体を介して、ガスボンベが加熱され温度が上昇されるものである。したがって、一定時間以上連続して使用すると、カセットコンロ本体に設けられたガスボンベカバー部も温度が上昇する。
【０００３】
そして、ガスボンベの温度が過剰に上昇するとガスボンベの内部に充填されているガスの圧力が規定値を超えて上昇し、やがて爆発・炎上するという危険性がある。また、ガスボンベの装着に不備がありガス漏れが発生すると漏れて充満したガスに引火して爆発・炎上の危険性がある。そこで、カセットコンロには、通常、安全上の取扱方法が定められ、視認可能な範囲に使用方法がラベル等により表示されている。しかしながら、現実には、毎年、カセットコンロの使用中にガスボンベが爆発する事故が発生している。原因は、カセットコンロを不注意又は過失により誤って使用し、ガスボンベが過熱したことによるものであり、例えば、汁受け皿や五徳を逆さにして使う、規定よりも大きい調理器具を使う、複数のカセットコンロを並列にして使う、規定時間以上の長時間使用する等々が挙げられ、これらの誤った使用により、ガスボンベが過熱して、爆発・炎上という事故に繋がっている。また、ガスボンベをカセットコンロに正しく装着されていない状態で使用して、ガス漏れが発生し、漏れた大量のガスに引火して爆発するという事故も発生しているが、本願では、カセットコンロ又はガスボンベの過熱防止について説明する。
【０００４】
従来から、バーナー部の燃焼炎を熱源とする輻射熱又は伝導熱によるコンロ本体やガスボンベの温度上昇を低減するための断熱構造を設けることで、より安全性を考慮したカセットコンロやカセットコンロ用の防熱器具が提案されている。カセットコンロの内部に断熱構造を設けたものとして、例えば、下記特許文献１、２に記載された発明がある。また、カセットコンロの外部に断熱構造を設けたものとして、例えば、下記特許文献３に記載された発明がある。また、カセットコンロの外部、内部に断熱構造を設けたものとして、例えば、下記特許文献４に記載された発明がある。
【０００５】
特許文献１には、「ガスボンベの過熱を防止すると共に液化ガスの気化の促進を計るため」（明細書第１頁第１１行乃至第１２行参照。）に、「中央部にバーナを備えた器体の一側に，ガスボンベを着脱自在に設け，前方に器具栓およびガスボンベ着脱装置を設けた簡易こんろにおいて，一端を枢支して開閉自在に取付けたガスボンベカバーの内面に吸湿性耐熱材質の断熱材を装着した簡易こんろ」（「請求項１」参照。）が記載されている。
【０００６】
特許文献２には、「カセットコンロを、室内での調理に際し卓上コンロとして食卓テーブル上に置いて使用した場合に、食卓テーブル面の温度上昇を防ぐべく、コンロの底面方向の遮熱性を高めることを課題」（段落「０００３」参照。）として、「ケース天面を形成する汁受け皿の下方に、左端部に多数の通気孔を有する垂下片を有し中心部に窓を有する第１遮熱板を、汁受け皿と上下に間隙を置きその右端部をケース天面に固定して設け、該第1遮熱板の下方に第1遮熱板と間隔を置いて平板状の第２遮熱板を設け、ケース天面を形成する汁受け皿とケース底面との間に、第1遮熱板と、第２遮熱板とを設けたことを特徴とする、カセットコンロの底面遮熱装置」（「請求項１」参照。）が記載されている。
【０００７】
特許文献３には、「行楽シーズンになると自然の中で食事がしたくなる。少人数なら問題はないのだが、５人６人と人数が増えると焼きソバやお好み焼きを作る場合、大きな鉄板を使って調理をしないと効率が悪く楽しくない。そこで事故が起こる。楽しいはずの集まりが悲劇に変る。本発明はこの様な惨劇を解消するためなされたもの」（段落「０００３」参照。）として、「カセットコンロより大きな鉄板を上にのせ調理又は加熱する場合、熱や炎がガスボンベに当たらぬ様、炎や熱の通り道を作り、上方の鉄板に沿って熱を外へ逃がし、更に通り道の壁、遮蔽板の外側に断熱材を張り付け、ガスボンベの温度上昇、又、爆発を防ぐ装置」（「請求項１」参照。）が記載されている。
【０００８】
特許文献４には、「調理部とガスボンベ収納部を接近させてガスコンロの小型化を図った場合において、過大サイズの調理具が使用されたとしてもガスボンベの温度が異常に上昇することのないカセット式ガスコンロを提供することを課題」（段落「０００５」参照。）として、「ケーシングの上面にバーナーを設けるとともにそのバーナーの周りに五徳を設けて調理部を構成し、その調理部の一側部にガスボンベ収納部を設けてなるカセット式ガスコンロにおいて、上記五徳の支持片はその上端に標準鍋の鍋底に適合する鍋支持部を設けるとともに、各鍋支持部の外側にこれより高く突き出した規制凸部を設け、かつ、上記ガスボンベ収納部の上面を断熱構造としたことを特徴とするカセット式ガスコンロ」（「請求項１」参照。）が記載されている。
【先行技術文献】
【特許文献】
【０００９】
【特許文献１】実開昭５５−０６１２０５号公報
【特許文献２】特許第３８５１９８４号公報
【特許文献３】特開２０１０−２４３１３８号公報
【特許文献４】特開２００３−３２２３４２号公報
【発明の概要】
【発明が解決しようとする課題】
【００１０】
しかしながら、特許文献１に記載の「簡易こんろ」は、「ガスボンベ３のカバー４の内面に吸湿性耐熱材質の断熱材５（例えば発泡石綿，ウレタンフォームなど）を装着したものである」（明細書第２頁第１０行乃至第１２行参照。）と記載されており、「バーナ２」の燃焼炎又は熱せられた調理器具からの輻射熱が直接「カバー４」に伝わるので、「カバー４」自体は高温に加熱される虞がある。また、断熱素材が「発泡石綿，ウレタンフォーム」であるので、耐熱効果がそれほど期待できないものと推量される。また、「簡易こんろ」の「器具本体１」の内部を改造する必要があるので、「簡易こんろ」の製造時に「断熱材５」を装着する工程が必要であり、製造工程が増え、製造コストが高くなってしまうものと推量される。また、市販の「カセットコンロ」に、特許文献１記載の発明の「吸湿耐熱材質の断熱材５」を適用しようとしても、熟練した技術者でなければ、「カバー４の内面」に容易に装着することは困難である。
【００１１】
特許文献２に記載の「カセットコンロ」は、上述したように「食卓テーブル面の温度上昇を防ぐべく、コンロの底面方向の遮熱性を高めることを課題」とするものであり、「ガスボンベ」の過熱を防止するものではない。特許文献２に「ケース内に、汁受け皿２と対向する第１遮熱板10を、その下方に前記第１遮熱板10と対向する第２遮熱板２０を設けて、底面遮熱構造を構成する」（段落「０００８」、図４参照。）と記載されているように、「ボンベ室Ｂ」を遮熱する技術思想については示されていないので、特許文献２に記載の「カセットコンロ」を使用するときには、「バーナーヘッド９ａ」の燃焼炎又は熱せられた調理器具等からの輻射熱又は伝導熱が「ケースカバー１ｂ」そして「ケースカバー１ｂ」内の「ボンベ室B」に収納されている「ガスボンベ７」に伝熱されて、「ガスボンベ７」が過熱される虞がある。
【００１２】
上記の特許文献１、２に記載の発明が、主に「カセットコンロ」の内部に設けられる構成であるのに対し、特許文献３に記載の「安全器具」は、「カセットコンロ８」の上に載置して使用するものである。通常、市販の「カセットコンロ」には、五徳が備えられているが、特許文献３の図１〜図３を参照すると、「安全器具」を使用する際には、その都度、五徳を取り外して、「安全器具」を「カセットコンロ８」に取付ける必要があるものと推量され、取付けの作業時間を要する。また、市販されているカセットコンロにおいては、五徳がカセットコンロに固定的に取付けられた構造ものも多く、このような構造では、特許文献３に記載の発明は利用が簡単ではない。特許文献３の「安全器具」は、左右二つの「安全器具本体遮蔽板１」を２本の「連結フレーム２」で連結し、それぞれの「安全器具本体遮蔽板１」の下部に「本体支え板５」を備えた構造であり、平面視のサイズも「カセットコンロ８」と同サイズであるから、持ち運びに容易というわけではなく、製造コストの低減効果も期待できない虞がある。また、材質が「鉄板」（段落「０００６」参照。）であるので、「安全器具本体遮蔽板１」に受けた輻射熱又は伝導熱は、連設された「本体支え板５」を介して「カセットボンベ７」に容易に伝熱され、「カセットボンベ７」が過熱される虞がある。
【００１３】
また、特許文献４に記載の「カセット式ガスコンロ」は、コンロの外部と内部に断熱構造を設けたものであり、まず、上述のように「各鍋支持部の外側にこれより高く突き出した規制凸部を設け」て、「使用者が、万一過大サイズの調理器Ｂを使用したとしても、調理器Ｂの底は規制凸部８の上に載るので、その規制凸部８の高さだけ離れた位置になる」（段落「００１９」、図１参照。）ように構成することで、熱源とガスボンベの距離を空間的に遠ざけるという技術思想である。また、コンロ内部の断熱構造として「ガスボンベ収納部３の上面１３は真空二重構造等の断熱構造である」（段落「００１９」参照。）との記載もあるが、「上面１３」は、燃焼炎の輻射熱を直接受けるので、「上面１３」自身は熱せられてしまい、「上面１３」の上面に連設して形成された下面（図３参照。）、つまり、「ガスボンベ１１」側にも伝熱されて過熱される虞がある。また、「カセット式ガスコンロ」を製造するときに、「規制凸部８」を形成する製造工程、「ガスボンベ収納部３の上面１３」を「真空二重構造」とするための製造工程を追加する必要がある。したがって、特許文献１と同様に、製造コストが高くなってしまう虞がある。また、市販の「カセット式ガスコンロ」に特許文献４に記載の発明を適用することは、極めて困難であると思われる。さらに、特許文献１〜４に記載の発明には、バーナーの燃焼炎や熱せられた調理器具からの輻射熱を反射して、ガスボンベの温度上昇を防ぐという技術思想はない。
【００１４】
そこで、本発明においては、カセットコンロのガスボンベの過熱を抑制することができるカセットコンロ用遮熱板を提供することを目的とする。
【００１５】
また、本発明においては、携帯に便利な簡単な構造であり、遮熱性に優れたカセットコンロ用遮熱板を提供することを目的とする。
【課題を解決するための手段】
【００１６】
上記の目的を達成するため、請求項１の発明は、遮熱板本体部と、該遮熱板本体部の裏面に取付けられた放熱空間形成部材とを備えたカセットコンロ用遮熱板であって、前記遮熱板本体部は、珪酸カルシウムで形成された基材と、該基材の表面部に形成された石英ガラス層を備え、該石英ガラス層で熱源からの輻射熱を反射可能に形成され、前記放熱空間形成部材は、前記遮熱板本体部のカセットコンロへの取付角度を設定する角度設定部材を有し、該角度設定部材は、前記石英ガラス層で反射された輻射熱の反射方向が外側上方に制御されるように形成され、前記放熱空間形成部は、前記遮熱板本体部の発生熱を放熱する放熱空間を形成して構成されていることを特徴とする。
【００１７】
また、請求項２の発明は、コンロ本体と、バーナー部と、五徳と、ガスボンベ収納部を有するカセットコンロにガスボンベを収納して使用するときの温度上昇を抑制するカセットコンロ用遮熱板であって、前記遮熱板本体部は、珪酸カルシウムで形成された基材と、該基材の表面部に形成された石英ガラス層を備え、該石英ガラス層で熱源からの輻射熱を反射可能に形成され、前記ガスボンベ収納部を完全に覆設する大きさに形成され、前記遮熱板本体部は、互いに略平行に形成された前辺部及び後辺部と、互いに略平行に形成された左辺部及び右辺部と、前辺部の左右端に形成された切欠部とを有し、前記放熱空間形成部材は、前記遮熱板本体部のカセットコンロへの取付角度を設定する角度設定部材を有し、該角度設定部材は、前記石英ガラス層で反射された輻射熱の反射方向が外側上方に制御されるように形成され、前記放熱空間形成部は、前記遮熱板本体部の発生熱を放熱する放熱空間を形成して構成されていることを特徴とする。
【００１８】
また、請求項３の発明は、請求項２に記載のカセットコンロ用遮熱板であって、前記放熱空間形成部は、前記遮熱板本体部の裏面と、前記カセットコンロのガスボンベ収納部の表面とを離隔して、前記遮熱板本体部又は前記ガスボンベ収納部に発生した熱を放熱させる放熱空間を形成し、前記放熱空間形成部材は、平面視略長円形状の固定片部と、該固定片部に一体的に形成された前記角度設定部材と、前記固定片部を前記遮熱板本体部に固着する固着手段を備え、前記カセットコンロにセットした状態で、前記切欠部が前記五徳に当接し、前記前辺部の一部が前記カセットコンロの上面部に線接触で当接し、前記角度設定部材の先端部が前記ガスボンベ収納部の上面に点接触で当接する構成に形成されていることを特徴とする。
【００１９】
また、請求項４の発明は、カセットコンロであって、請求項１乃至請求項３のいずれか１項に記載のカセットコンロ用遮熱板を備えたことを特徴とする。
【発明の効果】
【００２０】
本発明のカセットコンロ用遮熱板によれば、バーナー部の燃焼炎とこの燃焼炎で熱せられた調理器具による輻射熱を反射するように構成されていることで、カセットコンロに収納されたガスボンベの過熱を防ぐことができるという顕著な効果を奏する。
【００２１】
また、本発明のカセットコンロ用遮熱板によれば、携帯に便利な簡単な構造であり、遮熱性に優れているという顕著な効果を奏する。
【００２２】
また、本発明のカセットコンロ用遮熱板によれば、カセットコンロ使用時に、カセットコンロに簡単にセットすることができるので、既に製造・販売されたカセットコンロをそのまま流用することができ、カセットコンロ自体を何ら加工する必要がないという顕著な効果を奏することができる。
【図面の簡単な説明】
【００２３】
【図１】本発明のカセットコンロ用遮熱板の上方から見た斜視図である。
【図２】本発明のカセットコンロ用遮熱板の下方から見た斜視図である。
【図３】本発明のカセットコンロ用遮熱板の正面図である
【図４】本発明のカセットコンロ用遮熱板の左側面図である。
【図５】本発明のカセットコンロ用遮熱板の平面図である。
【図６】本発明のカセットコンロ用遮熱板の底面図である。
【図７】本発明のカセットコンロ用遮熱板をカセットコンロに装着した状態の平面図である。
【図８】本発明のカセットコンロ用遮熱板をカセットコンロに装着した状態の右側面図である。
【図９】本発明のカセットコンロ用遮熱板をカセットコンロに装着した状態の斜視図である。
【図１０】本発明のカセットコンロ用遮熱板を用いた場合の温度計測結果を示す図である。
【図１１】比較例の遮熱板を用いない場合の温度計測結果を示す図である。
【発明を実施するための形態】
【００２４】
以下、好適な実施形態を用いて本発明をさらに具体的に説明する。但し、下記の実施形態は本発明を具現化した例に過ぎず、本発明はこれに限定されるものではない。なお、説明の便宜上、本明細書で示す前，後，左，右，上，下の方向は、図中で示す矢印の前，後，左，右，上，下の方向と対応するものとする。
【００２５】
（実施形態）
図１に本発明の実施形態のカセットコンロ用遮熱板１の上方から見た斜視図、図２に、図１のカセットコンロ用遮熱板１の下方から見た斜視図、図３に図１のカセットコンロ用遮熱板１の正面図、図４に図１のカセットコンロ用遮熱板１の左側面図、図５に図１のカセットコンロ用遮熱板１の平面図、図６に図１のカセットコンロ用遮熱板１の底面図を示す。
【００２６】
図１〜図６に示すように、本発明のカセットコンロ用遮熱板１は、遮熱板本体部２と、放熱空間形成部材４を備えている。遮熱板本体部２は、平面視で略矩形状であり、左側，右側，前側，後側の４つの周辺部を、左辺部２Ｌ、右辺部２Ｒ、前辺部２Ｆ、後辺部２Ｂとし、左右端の前部には、左右対称の形状をした切欠部２ａ，２ａが形成され、左辺部２Ｌの長さと右辺部２Ｒの長さは等しく、前辺部２Ｆの長さは、後辺部２Ｂよりも、切欠部２ａ，２ａの分だけ縮長して形成されている。前辺部２Ｆと後辺部２Ｂとは略平行であり、左辺部２Ｌと右辺部２Ｒとは略平行である。一例では、左辺部２Ｌ及び右辺部２Ｒの長さは、それぞれ１１５ｍｍに形成され、後辺部２Ｂの長さは、２６０ｍｍに形成され、このサイズは、一般的なカセットコンロのガスボンベ収納部を覆設可能な大きさである。
【００２７】
遮熱板本体部２は、珪酸カルシウムを用いて基材２ｃを形成することで、従来技術よりも耐熱性能が向上している。さらに、本発明では、遮熱板本体部２の表面部分を完全無機質の石英ガラス（シリカガラス）に化学変化させて、石英ガラス層２ｄを形成しているので、従来技術よりも、格段に耐熱性、防汚性が向上しており、一例では、耐熱１３００℃の効果を奏することができる。また、石英ガラス層２ｄを形成したことで、入射する輻射熱を反射することで、従来技術よりも格段に遮熱効果を向上させることができた。遮熱板本体部２の厚さは、一例では、５ｍｍに形成した。なお、遮熱板本体部２のサイズ、厚さは、必要に応じて適宜調整して形成することができる。
【００２８】
切欠部２ａ，２ａは、カセットコンロ用遮熱板１をカセットコンロにセットしたときに、カセットコンロの五徳部に係合して、カセットコンロ用遮熱板１が安定してカセットコンロに載置されるように形成されている。
【００２９】
遮熱板本体部２の裏面には、放熱空間形成部材４が取り付けられている。放熱空間形成部材４は、カセットコンロ用遮熱板１をカセットコンロにセットして使用したときに、遮熱板本体部２の裏面と、カセットコンロのガスボンベ収納部表面とを離隔し、前述した輻射熱又は伝導熱により、遮熱板本体部２、あるいは、ガスボンベ収納部に発生した熱を放熱させるための放熱空間が形成されるように構成されたものである。放熱空間形成部材４は、平面視略長円形状の固定片部４ａと、固定片部４ａの前端に取付けられた角度設定部材４ｂと、固定片部４ａを遮熱板本体部２に固着するための固着手段４ｃから構成されている。固着手段４ｃは、リベット、螺子等が用いられる。角度設定部材４ｂは、固定片部４ａと一体形成されており、舌片状の部材が固定片部４ａの前端から斜め下後方に屈曲されて形成され、角度設定部材４ｂの先端部は、好適には、ガスボンベ収納部の表面に点接触状態で当接されることになるので、仮に、遮熱板本体部２が過熱されたとしても、ガスボンベ収納部の表面との接触面積が小さく、伝熱を大幅に低減することができる。なお、バランスよく安定して遮熱板本体部２をカセットコンロに載置するために、遮熱板本体２裏面上の、後辺部２Ｂを底辺とする二等辺三角形の頂点になる位置に角度設定部材４ｂを取付けると好適である。また、角度設定部材４ｂは、長さを変えることで角度を調節可能に構成してもよいし、固定片部４ａに着脱自在に取り付けられるように構成してもよい。
【００３０】
また、カセットコンロ用遮熱板１をカセットコンロにセットしたときに、遮熱板本体部２は、好適には、前辺部２Ｆ、及び、切欠部２ａ，２ａの、裏面側の屈曲線部２ｗのみがガスボンベ収納部表面と線接触する構成であり、この構成も、ガスボンベ収納部の表面との接触面積が小さいので、仮に、遮熱板本体部２が過熱されたとしても、伝熱を大幅に低減することができる。
【００３１】
次に、カセットコンロ用遮熱板１をカセットコンロ５０にセットしたときの構成について説明する。図７〜図９に示すカセットコンロ５０は、市販されている一般的なカセットコンロであり、外観構造は、主に、コンロ本体５１、汁受け皿５２、バーナー部５３、五徳５４、ガスボンベ収納部５５、器具栓つまみ５６、セットレバー５７、脚部５８を備えている。内部構造としては、ガスボンベ載置部、ガスボンベセット機構、ガス供給管、隔壁（いずれも不図示）等を備えている。鍋等の調理器具６０は、五徳５４に載置されて使用される。
【００３２】
図７〜図９において、コンロ本体５１は、カセットコンロ５０全体の前側約２／３程度を占め、ガスボンベ収納部５５は、カセットコンロ５０全体の約１／３を占めている。ガスボンベ収納部５５の内部には、ガスボンベ５９が収納され、セットレバー５７で脱離しないようにロックされている。器具栓つまみ５７を回すことで、セットされたガスボンベ５９からガス供給管を介してバーナー部５３に供給されるガスの量を調節することができる。汁受け部５２は、コンロ本体５１の上面を覆い、中央部が開口されてバーナー部５３が、コンロ本体５１の内部から上方に貫通されている。五徳５４は、同一形状のものが４つ、バーナー部５３を基準にして放射状にコンロ本体５１上面に固着されている。ガスボンベ収納部５５は、ヒンジ手段（不図示）を介してコンロ本体５１に開閉自在に取り付けられている。ガスボンベ５９をガスボンベ収納部５５に収納してセットレバー５７で固定した後、器具栓つまみ５６を所定方向に回してバーナー部５３を着火し、バーナー部５３から燃焼炎５３ａを出すことができる。
【００３３】
図７、図９に示すように、カセットコンロ用遮熱板１をカセットコンロ５０に載置したときは、カセットコンロ用遮熱板１で、ガスボンベ収納部５５を完全に覆設することができる。図８は、調理器具６０としての鍋をカセットコンロ５０に載置して使用したときの状態を示している。図８に示すように、カセットコンロ用遮熱板１の前辺部２Ｆの屈曲線部２ｗをコンロ本体５１の上面に当接させ、角度設定部材４ｂの先端部をガスボンベ収納部５５の上面に当接させて、前辺部２Ｆから後辺部２Ｂに向かって仰角をなすように、遮熱板本体部２のカセットコンロ５０への取付角度を所定の角度αに設定することができる。この角度αは、使用するコンロの形状に適合させて、輻射熱が効率的に反射される角度に調整することができる。
【００３４】
これにより、燃焼炎５３ａからの輻射熱、及び、燃焼炎５３ａで加熱された調理器具６０からの輻射熱が、図８の白抜き矢印で示すように、遮熱板本体部２の表面の石英ガラス層２ｄによって、殆ど外側上方に反射することができ、ガスボンベ５９への遮熱効果を顕著に奏することができる。また、遮熱板本体部２の基材２ｃを珪酸カルシウムで形成しているので、耐熱性能が優れており、長期間繰り返し使用しても劣化しない。
【００３５】
また、遮熱板本体部２の裏面と、ガスボンベ収納部５５の上面とを離隔して放熱空間部Ｓを形成しているので、仮に、遮熱板本体部２が輻射熱で過熱されたとしても、放熱空間部Ｓを介して、放熱することができる。同様に、ガスボンベ収納部５５が、仮に、コンロ本体５１からの熱伝導により過熱されたとしても、放熱空間部Ｓを介して、放熱することができる。
【００３６】
さらに、上述したように、前辺部２Ｆとコンロ本体５１の上面との接触面積、角度設定部材４ｂとガスコンロ収納部５５の上面との接触面積が小さいので、仮に遮熱板本体部２が過熱されたとしても、ガスボンベ５９への伝熱を低減することができる。
【００３７】
本実施形態のカセットコンロ用遮熱板１は、以上説明したように、一般に市販されているカセットコンロを何ら改良する必要もなく、簡単にセットすることができ至便である。
【００３８】
一例として、表１に、市販のカセットコンロに本発明のカセットコンロ用遮熱板をセットした場合において、バーナー着火後のガスボンベ表面温度及びガスボンベ収納部表面温度の計測結果を示し、表２に、比較例として、同様の市販のカセットコンロに遮熱用手段を何も用いず通常に使用した場合において、バーナー着火後のガスボンベ表面温度及びガスボンベ収納部表面温度の計測結果を示す。温度測定手段はＫ型熱電対、Ｋ型シース熱電対を用い、これらの熱電対にデータレコーダーを接続して、計測データの表示及び記録を行った。Ｋ型熱電対、Ｋ型シース熱電対、データレコーダー等、温度計測に使用した装置は市販品である。周囲温度は、いずれの場合も、約３５℃で一定である。調理器具としては３０ｃｍ径の土鍋を用い、この土鍋の内部に水を投入して、五徳に載置し、バーナー部を着火させ、１秒ごとにガスボンベ表面温度及びガスボンベ収納部表面温度を計測した。なお、表１及び表２には、５分経過毎の計測温度を示している。
【表１】
2019060501.tif 000003
【表２】
2019060501.tif 000004
【００３９】
表１に示すように、計測時間が３０分経過したときに、本発明のカセットコンロ用遮熱板をセットした場合には、ガスボンベの表面温度は、４７．３℃であり、ガスボンベ収納部表面温度は、６５．７℃であるのに対し、表２に示すように、本発明のカセットコンロ用遮熱板をセットしない場合には、計測時間が３０分経過したときは、ガスボンベの表面温度は、５９．７℃に上昇しており、ガスボンベ収納部表面温度は、９４．９℃に上昇している。また、ガスボンベ収納部表面温度は、表２では、５分経過後に既に８４．５度℃に上昇しているのに対し、表１では、４９．５℃である。このように、本発明のカセットコンロ用遮熱板を用いることで、顕著な遮熱効果を奏することがわかる。
図１０は、表１をグラフ化した図である、図１１は、表２をグラフ化した図である。図１０及び図１１では、「土鍋内水温」、「周囲温度」の計測結果も示している。図１０及び図１１を比較してみても、本発明のカセットコンロ用遮熱板を用いることで、ガスボンベ表面温度、及び、ガスボンベ収納部表面温度の顕著な遮熱効果を奏することがわかる。
【符号の説明】
【００４０】
１      カセットコンロ用遮熱板
２      遮熱板本体部
２ａ    切欠部
２ｃ    基材
２ｄ    石英ガラス層
２Ｂ    後辺部
２Ｆ    前辺部
２Ｌ    左辺部
２Ｒ    右辺部
２ｗ    屈曲線部
４      放熱空間形成部材
４ａ    固定片部
４ｂ    角度設定部材
４ｃ    固着手段
５０    カセットコンロ
５１    コンロ本体
５２    汁受け皿
５３    バーナー部
５３ａ  燃焼炎
５４    五徳
５５    ガスボンベ収納部
５６    器具栓つまみ
５７    セットレバー
５８    脚部
５９    ガスボンベ
６０    調理器具
Ｓ      放熱空間部
α      取付角度
【図１】
2019060501.tif 000005
【図２】
2019060501.tif 000006
【図３】
2019060501.tif 000007
【図４】
2019060501.tif 000008
【図５】
2019060501.tif 000009
【図６】
2019060501.tif 000010
【図７】
2019060501.tif 000011
【図８】
2019060501.tif 000012
【図９】
2019060501.tif 000013
【図１０】
2019060501.tif 000014
【図１１】
2019060501.tif 000015